(57)【特許請求の範囲】
【請求項１】
上支持アームと下支持アームとで構成される支持アームに照明器具本体が取着されたアームライトにおいて、上支持アームと下支持アームの対向端部にそれぞれ一対の連結片を設け、各支持アームの連結片を重合させ、内側に位置する連結片間にヒンジを配設し、ヒンジを介して対向する連結片の対向方向であるヒンジの厚み方向の内部と各支持アームの連結片とにそれぞれ挿通孔を設け、外側に位置する連結片に設けた挿通孔の内径とヒンジの内部に設けた挿通孔の内径とを連結ボルトのボルトと略同等の径に形成すると共に内側に位置する連結片に設けた挿通孔の内径を連結ボルトのボルトよりも大径に形成し、つまみ体の中央部よりボルトを突設してなる連結ボルトのボルトを各挿通孔に挿通してその先端にナット体を螺着し、内側に位置する連結片の挿通孔の周縁部にこの挿通孔と同心の円弧状の位置決め爪をヒンジ側に向けて突設し、内側に位置する連結片の内面と相対向するヒンジの側面にヒンジの内部の挿通孔に連通すると共にこの挿通孔と同心の凹所をその内径が連結ボルトのボルトよりも大径になるように凹設し、この凹所の内周面に位置決め爪を摺動可能にするように引っ掛け係止したことを特徴とするアームライト。
【発明の詳細な説明】
【０００１】
【産業上の利用分野】
本発明は、アームライトに関するものである。
【０００２】
【従来の技術】
従来、図７に示されるように上支持アーム１と下支持アーム２とで構成される支持アーム３に照明器具本体４が取着されたアームライトＡにおいては、上支持アーム１と下支持アーム２とが回動自在に軸着されており、下支持アーム２に対して上支持アーム１を回動移動させることで照明器具本体４の位置を自在に調整することができるようになっている。そして、これらのものにおいて、上支持アーム１と下支持アーム２との連結は、図８に示されるように下支持アーム２と上支持アーム１の対向端部に一対の連結片５が設けられており、各連結片５を重合させると共に内側に位置する連結片５間にヒンジ６を配置し、各連結片５に設けられた挿通孔８を位置合わせすると共にヒンジ６に設けられた挿通孔８の位置を合わせ、各挿通孔８に連結ボルト７を挿入して連結ボルト７の先端に螺着されたつまみ７ｃを締め込むことでヒンジ６を介して上支持アーム１と下支持アーム２とが回動自在に連結されている。
【０００３】
【発明が解決しようとする課題】
しかし、上述のような従来例にあっては、上支持アーム１と下支持アーム２とヒンジ６とを連結ボルト７にて相互に連結するには各支持アーム１，２の挿通孔８とヒンジ６の挿通孔８とが合致するように各部材を位置決めしなくてはならず、各部材の位置決めに手間がかかり、連結作業に長い時間を要するという問題があった。また、各部材の挿通孔８が食い違った状態で無理に連結ボルト７を貫通させるようなことを行った場合、連結ボルト７の先端が損傷し、つまみ７ｃの嵌合不良などの品質上の問題も発生しやすいものであった。さらに、上述のような従来例においては、連結ボルト７によって各支持アーム１，２を回転自在に支持するという構成であるために連結ボルト７の回動時には連結ボルト７にヒンジ６及び各支持アーム１，２の挿通孔８の開口縁が強く接触することとなり、つまり、支持アーム３の回動によって連結ボルト７が磨耗しやすく、ガタや異音が発生しやすいという問題があった。
【０００４】
本発明は上記問題点の解決を目的とするものであり、連結ボルトにて各支持アーム及びヒンジを連結するにあたっての位置決めを手間取ることなく簡易に行うことができ、さらに、連結ボルトが磨耗するのを極力防止することができるアームライトを提供しようとするものである。
【０００５】
【課題を解決するための手段】
本発明では、上記目的を達成するために、上支持アーム１と下支持アーム２とで構成される支持アーム３に照明器具本体４が取着されたアームライトＡにおいて、上支持アーム１と下支持アーム２の対向端部にそれぞれ一対の連結片５を設け、各支持アーム１，２の連結片５を重合させ、内側に位置する連結片５間にヒンジ６を配設し、ヒンジ６を介して対向する連結片５の対向方向であるヒンジ６の厚み方向の内部と各支持アーム１，２の連結片５とにそれぞれ挿通孔８を設け、外側に位置する連結片５に設けた挿通孔８の内径とヒンジ６の内部に設けた挿通孔８の内径とを連結ボルト７のボルト７ｂと略同等の径に形成すると共に内側に位置する連結片５に設けた挿通孔８の内径を連結ボルト７のボルト７ｂよりも大径に形成し、つまみ体７ａの中央部よりボルト７ｂを突設してなる連結ボルト７のボルト７ｂを各挿通孔８に挿通してその先端にナット体７ｃを螺着し、内側に位置する連結片５の挿通孔８の周縁部にこの挿通孔８と同心の円弧状の位置決め爪１０をヒンジ６側に向けて突設し、内側に位置する連結片の内面と相対向するヒンジ６の側面にヒンジ６の内部の挿通孔８に連通すると共にこの挿通孔８と同心の凹所９をその内径が連結ボルト７のボルト７ｂよりも大径になるように凹設し、この凹所９の内周面に位置決め爪１０を摺動可能にするように引っ掛け係止したことを特徴とする。
【０００６】
【作用】
しかして、上支持アーム１と下支持アーム２の連結片５に設けられた挿通孔８の位置を位置合わせすると共に内側に位置する連結片５間に配置されたヒンジ６の挿通孔８を上記連結片５に設けられた挿通孔８の位置と位置合わせし、各挿通孔８に連結ボルト７を挿通することでヒンジ６を介して各支持アーム１，２が回動自在に軸着される。そして、ヒンジ６を設置するにあたっては内側に位置する連結片５間にヒンジ６を嵌め込むようにすると位置決め爪１０がヒンジ６に設けられた凹所９に係合することでヒンジ６の挿通孔８と連結片５の挿通孔８とを位置合わせするようにしてヒンジ６が位置決めされるものであり、各部材に設けられた挿通孔８の位置合わせに手間取るようなことがなくなる。また、内側に位置する連結片５に設けた挿通孔８を連結ボルト７よりも大径に形成すると共にこの挿通孔８の周縁部より内側に向けて突設した円弧状の位置決め爪１０が連結ボルト７よりも大径の凹所９の内周面に引っ掛け係止したので、凹所９に係合された位置決め爪１０によってヒンジ６と内側の連結片５とが連結されるために支持アーム３の回動時の荷重はヒンジ６にて受けられることとなり、支持アーム３の回動時に連結片５に設けた挿通孔８の開口縁が連結ボルト７のボルトの外面に強く接触することがなくなり、支持アーム３の回動に伴って連結ボルト７が部分的に磨耗するのを防止するようになっている。つまり、連結ボルト７が部分的に磨耗して連結部分ががたついたり、異音を生じたりすることがないようになっている。
【０００７】
【実施例】
以下、本発明を図示された実施例に基づいて詳述する。
アームライトＡは図６に示されるように支持アーム３に照明器具本体４を取り付けて主体が構成されており、上支持アーム１と下支持アーム２とで構成される支持アーム３を折り畳むようにしたり、引き伸ばしたりすることで照明器具本体４の位置を自在に調整することができるようになっている。
【０００８】
上支持アーム１と下支持アーム２とで構成される支持アーム３は、上支持アーム１と下支持アーム２の端部を回動自在に軸着して構成されており、この軸着部分で下支持アーム２に対する上支持アーム１の角度を変えることで照明器具本体４の位置を自在に調整することができるようになっている。下支持アーム２の下部には机等に固定される固定台１１が設けられており、下支持アーム２の下端は固定台１１の上部に軸着されている。
【０００９】
上支持アーム１の先部に取付けられる照明器具本体４は支持台４ａにランプ４ｂを取付けて構成されており、支持台４ａは上支持アーム１の先部に軸着されている。
上支持アーム１と下支持アーム２とは図１に示されるように断面コ字状に形成されており、相互に連結されることとなる対向端部には一対の連結片５が突設されている。この連結片５は薄円板状に形成されており、略中央部には後述する連結ボルト７が挿通される挿通孔８が設けられている。上支持アーム１の巾寸法は下支持アーム２の巾寸法よりも小さいものとされており、上支持アーム１の連結片５に下支持アーム２の連結片５を重ね合わせるようにして配置できるようになっている。内側に位置する上支持アーム１の連結片５間にはヒンジ６が配置されており、ヒンジ６に設けられた挿通孔８と各連結片５に設けられた挿通孔８に連結ボルト７を挿通することで上支持アーム１と下支持アーム２とが回動自在に軸着されている。
【００１０】
ヒンジ６は図２に示されるように左側半体６ａと右側半体６ｂとを相互に連結して構成されており、各半体６ａ，６ｂからは連結した状態で反対方向に突出される突起体１２が外面より一体に突設されている。各半体６ａ，６ｂからは内方に向けて連結筒１３が突設されており、左側半体６ａの連結筒１３の内端には連結孔１３ａが設けられ、右側半体６ｂの内端からは側方に向けて連結突起１３ｂが突設されており、連結突起１３ｂを連結孔１３ａに差し込み結合することで各半体６ａ，６ｂが相互に連結固定されている。左側半体６ａと右側半体６ｂとを相互に連結して構成されるヒンジ６の内部にはコイルスプリングのようなばね材１４が取付けられており、このばね材１４の端部からはそれぞればね片１４ａが突設されている。各ばね片１４ａは図１に示されるように各半体６ａ，６ｂより突設された突起体１２内に収納配置されており、各突起体１２より突出するばね片１４ａは上支持アーム１または下支持アーム２の内面に当接するように配置されるようになっている。ここで、ばね材１４をヒンジ６に取付けた状態でヒンジ６を組み付けるにあたり、ばね材１４のばね力は各支持アーム１，２に作用しないようになっており、組み立て時にはばね材１４のばね力がかからずに各部材を組み立てることができるようになっている。また、組み立てて各支持アーム１，２を所定角度に曲げた状態とするとばね材１４の各ばね片１４ａが各支持アーム１，２の内面に当接されることでばね材１４のばね力が各支持アーム１，２に作用し、支持アーム３の回動操作時にはばね材１４のばね力によって支持アーム３の操作を補助したり、支持アーム３を所定角度で保持したりするようになっている。ヒンジ６を構成する各半体６ａ，６ｂは連結状態で相互に内部が連通した状態となっており、照明器具本体４に接続されるリード線１５は図１に示されるようにヒンジ６の内部を通して上支持アーム１側と下支持アーム２側に配置されるようになっている。各半体６ａ，６ｂに設けられた連結筒１３は各半体６ａ，６ｂの外面より内方に向けて凹みを凹設することで形成されるものであるが、この凹みは連結ボルト７の外径よりも大きいものとなっており、これによって凹所９が形成されている。連結突起１３ｂの中央には挿通孔８が設けられており、この挿通孔８に連結ボルト７が挿通されるようになっている。
【００１１】
連結ボルト７はつまみ体７ａの中央部よりボルト７ｂを突設して主体が構成されており、この連結ボルト７のボルト７ｂを各支持アーム１，２及びヒンジ６の挿通孔８に挿通して先端にナット体７ｃを螺着することでヒンジ６を介して上支持アーム１と下支持アーム２とが回動自在に軸着されている。
内側に位置することとなる上支持アーム１の連結片５に設けられた挿通孔８の周縁には図３に示されるように湾曲した切り込み１０ａが設けられており、この切り込み１０ａによって内側に向けて位置決め爪１０が突設されている。位置決め爪１０はヒンジ６に設けられた凹所９の内周面に係止されており、上支持アーム１の回動時には位置決め爪１０が凹所９の内周面に沿って摺動するようになっている。
【００１２】
しかして、上支持アーム１と下支持アーム２とで構成される支持アーム３はヒンジ６を介して上支持アーム１と下支持アーム２の連結片５を相互に軸着することで回動自在に連結されているものであり、上支持アーム１を回動移動させて下支持アーム２に対する上支持アーム１の連結角度を調整することで上支持アーム１にて保持されている照明器具本体４の位置を自在に調整することができるようになっている。そして、上支持アーム１と下支持アーム２とをヒンジ６を介して連結するにあたっては、各部材に設けられた挿通孔８を相互に位置合わせして各挿通孔８に連結ボルト７を挿通することで回動自在に連結されるものであり、下支持アーム２の連結片５に設けられた挿通孔８と上支持アーム１の連結片５に設けられた挿通孔８とを位置合わせした状態でヒンジ６を上支持アーム１の連結片５間に配置し、ヒンジ６の挿通孔８を内側に位置する連結片５の挿通孔８に位置合わせするものであるが、図４、図５に示されるように連結片５間にヒンジ６を嵌め込むようにすると連結片５より内側に突設された位置決め爪１０がヒンジ６の凹所９に係合されることでヒンジ６の挿通孔８と連結片５の挿通孔８とが位置決めされた状態でヒンジ６が連結片５間に配置されるものであり、ヒンジ６の挿通孔８と連結片５の挿通孔８との位置決めは位置決め爪１０が凹所９に係合されるようにヒンジ６を連結片５間に嵌め込むだけの簡単な作業によって行うことができ、各挿通孔８の位置決めを手間取ることなく簡易に行うことができるものであり、各挿通孔８に連結ボルト７を挿通して行われる上支持アーム１と下支持アーム２との連結を迅速且つ簡易に行うことができるようになっている。ここで、位置決め爪１０が設けられている内側に位置する連結片５に設けられた挿通孔８の内径は連結ボルト７のボルトの外径よりも大きいものとなっている。そして、ヒンジ６を介して連結ボルト７にて上支持アーム１と下支持アーム２とが相互に連結固定されているものであるが、上支持アーム１の回動時の荷重は凹所９に係合された位置決め爪１０によってヒンジ６にて受けられることとなり、上支持アーム１の回動時に上支持アーム１の挿通孔８の開口縁が連結ボルト７のボルトの外面に強く接触することがなくなり、上支持アーム１の回動に伴って連結ボルト７が部分的に磨耗するのを防止するようになっている。つまり、連結ボルト７が部分的に磨耗して連結部分ががたついたり、異音を生じたりすることがないようになっている。
【００１３】
図示された実施例にあっては、上支持アーム１の連結片５が内側に配置されるように上支持アーム１と下支持アーム２とが連結されるものについて示したが、このもののみに限定されるものではなく、下支持アーム２の連結片５が内側に配置されるように上支持アーム１と下支持アーム２とを連結するようにしてあってもよいものである。この場合には位置決め爪１０は下支持アーム２の連結片５に設けられることとなる。
【００１４】
【発明の効果】
本発明は上述のように、上支持アームと下支持アームとで構成される支持アームに照明器具本体が取着されたアームライトにおいて、上支持アームと下支持アームの対向端部にそれぞれ一対の連結片を設け、各支持アームの連結片を重合させ、内側に位置する連結片間にヒンジを配設し、ヒンジを介して対向する連結片の対向方向であるヒンジの厚み方向の内部と各支持アームの連結片とにそれぞれ挿通孔を設け、外側に位置する連結片に設けた挿通孔の内径とヒンジの内部に設けた挿通孔の内径とを連結ボルトのボルトと略同等の径に形成すると共に内側に位置する連結片に設けた挿通孔の内径を連結ボルトのボルトよりも大径に形成し、つまみ体の中央部よりボルトを突設してなる連結ボルトのボルトを各挿通孔に挿通してその先端にナット体を螺着し、内側に位置する連結片の挿通孔の周縁部にこの挿通孔と同心の円弧状の位置決め爪をヒンジ側に向けて突設し、内側に位置する連結片の内面と相対向するヒンジの側面にヒンジの内部の挿通孔に連通すると共にこの挿通孔と同心の凹所をその内径が連結ボルトのボルトよりも大径になるように凹設し、この凹所の内周面に位置決め爪を摺動可能にするように引っ掛け係止しているので、内側に位置する連結片間にヒンジを嵌め込むようにすると位置決め爪がヒンジに設けられた凹所に係合することでヒンジの挿通孔と連結片の挿通孔とを位置合わせするようにしてヒンジが位置決めされるものであり、各部材に設けられた挿通孔の位置合わせに手間取ることがなくなるものであり、連結ボルトにて各支持アーム及びヒンジを連結するにあたっての位置決めを手間取ることなく簡易に行うことができるものである。また、凹所に係合される位置決め爪によってヒンジと内側の連結片とが連結されるために支持アームの回動時の荷重は凹所に係合された位置決め爪によってヒンジにて受けられることとなり、支持アームの回動時に連結片に設けた挿通孔の開口縁が連結ボルトのボルトの外面に強く接触することがなくなり、支持アームの回動に伴って連結ボルトが部分的に磨耗するのを防止するようになっている。つまり、連結ボルトが部分的に磨耗して連結部分ががたついたり、異音を生じたりすることがないようになっている。
【図面の簡単な説明】
【図１】本発明の一実施例を示す分解斜視図である。
【図２】ヒンジの分解斜視図である。
【図３】（ａ）はヒンジと支持アームの連結前の状態を示す分解斜視図、（ｂ）は位置決め爪の部分拡大斜視図である。
【図４】同上の一部破断した正面図である。
【図５】位置決め爪の係止状態を示す部分拡大断面図である。
【図６】アームライトの斜視図である。
【図７】アームライトの側面図である。
【図８】従来例の分解斜視図である。
【符号の説明】
Ａ  アームライト
１  上支持アーム
２  下支持アーム
３  支持アーム
４  照明器具本体
５  連結片
６  ヒンジ
７  連結ボルト
８  挿通孔
９  凹所
１０  位置決め爪
【図１】
0003739811.tif 000002
【図２】
0003739811.tif 000003
【図３】
0003739811.tif 000004
【図４】
0003739811.tif 000005
【図５】
0003739811.tif 000006
【図６】
0003739811.tif 000007
【図７】
0003739811.tif 000008
【図８】
0003739811.tif 000009